(57)【要約】【課題】低騒音、低振動、低トルクな玉軸受を実現する。【解決手段】玉軸受に組み込む保持器６ａを構成するポケット７ａの内面の、このポケット７ａの周方向に関する曲率半径ｒ１  と、同じく幅方向に関する曲率半径ｒ２  との比ｒ２  ／ｒ１  を、０．８０以上０．９５以下とする。この構成を採用する事により、上記保持器６ａと玉５との滑り接触部分に作用する摩擦を低減し、この滑り接触部分で発生する摩擦振動を低減して、上記課題を解決する。【選択図】  図２
2004211870.tif 000002
【特許請求の範囲】
【請求項１】
全体を円環状に形成すると共に、円周方向複数個所にポケットを設けた玉軸受用保持器に於いて、これら各ポケットの内面の、これら各ポケットの周方向に関する曲率半径ｒ１  と、同じく幅方向に関する曲率半径ｒ２  との比ｒ２  ／ｒ１  を、０．８０以上０．９５以下とした事を特徴とする玉軸受用保持器。
【請求項２】
外周面に内輪軌道を形成した内輪と、内周面に外輪軌道を形成した外輪と、全体を円環状に形成すると共に円周方向複数個所にポケットを設けて成り、上記内輪の外周面と上記外輪の内周面との間にこれら内輪及び外輪に対する相対回転自在に配置された玉軸受用保持器と、上記各ポケット内にそれぞれ転動自在に保持しつつ、上記内輪軌道と上記外輪軌道との間に配置された複数の玉とを備えた玉軸受に於いて、上記各ポケットの内面の、これら各ポケットの幅方向に関する曲率半径ｒ２  が、上記各玉の転動面の曲率半径ｒｂ  よりも小さい事を特徴とする玉軸受。
【請求項３】
各ポケットの内面の、これら各ポケットの周方向に関する曲率半径ｒ１  と、同じく幅方向に関する曲率半径ｒ２  との比ｒ２  ／ｒ１  を、０．８０以上０．９５以下とした、請求項２に記載した玉軸受。
【発明の詳細な説明】
【０００１】
【発明の属する技術分野】
この発明に係る玉軸受用保持器及び玉軸受は、工作機械、一般機械、自動車用ファンモータ、エアコン用モータ、各種機械装置の冷却用ファンモータ等、低騒音、低振動、低トルクを要求される各種回転機械の回転支持部分に組み込んだ状態で使用する。
【０００２】
【従来の技術】
各種機械装置の回転支持部分に組み込む玉軸受として、図７〜９に示す様な玉軸受が広く使用されている（例えば、特許文献１、２参照）。この玉軸受は、外周面に内輪軌道１を有する内輪２と内周面に外輪軌道３を有する外輪４とを同心に配置し、上記内輪軌道１と外輪軌道３との間に、複数個の玉５、５を転動自在に設けて成る。図示の例の場合、上記内輪軌道１と外輪軌道３とは、共に深溝型としている。又、上記複数個の玉５、５は、保持器６に設けたポケット７、７内に、転動自在に保持している。
【０００３】
上記図７に示した玉軸受を構成する保持器６は、波形プレス保持器と呼ばれるもので、それぞれが金属板材をプレス成形する事により造られる、波形で円環状に形成された１対の素子８、８を組み合わせて成る。これら両素子８、８は、それぞれの円周方向複数個所に、上記各ポケット７、７を構成する為の、略半円筒状の凹部９、９を形成している。そして、この１対の素子８、８同士をこれら各凹部９、９から外れた部分で突き合わせ、これら各部分を複数のリベット１０により結合固定して、円環状で円周方向複数個所にポケット７、７を有する保持器６としている。これら各ポケット７、７の内面は、図８〜９に斜格子で示す様に、上記各凹部９、９の両端部を除く大部分が、上記各玉５、５の転動面の曲率半径よりも僅かに大きな曲率半径を有する保持案内面として機能する球面部１４、１４になっている。
【０００４】
又、玉軸受用の保持器としては、上述した波形プレス保持器の他、図１０〜１２に示す様な冠型保持器と呼ばれる保持器１１も広く使用されている（例えば、特許文献１、２参照）。この保持器１１は、全体が合成樹脂製で、円環状の主部１２の円周方向複数個所に、玉５を転動自在に保持するポケット７、７を設けている。この様な冠型の保持器１１の場合、上記各ポケット７、７は、上記主部１２に互いに間隔をあけて配置された１対の弾性片１３、１３の片側面と、上記主部１２の軸方向片面とに囲まれた部分に設けている。これら各ポケット７、７の内面は、図１１〜１２に斜格子で示す様に、全体が上記玉５の転動面の曲率半径よりも僅かに大きな曲率半径を有する保持案内面として機能する球面部１４になっている。
【０００５】
玉軸受を組み立てる場合には上記各玉５を、上記各ポケット７、７を構成する１対ずつの弾性片１３、１３の先端縁同士の間隔を弾性的に押し広げつつ、これら１対の弾性片１３、１３の間に押し込む。上記保持器１１は、この様にして上記各ポケット７、７内に玉５を抱き込む事により、これら各玉５を、前記内輪軌道１と外輪軌道３（図７）との間に、転動自在に保持する。
【０００６】
前述した保持器６或は上述した保持器１１を備えた玉軸受の使用時には、上記複数個の玉５、５の転動に伴って、上記内輪２と外輪４との相対回転を自在とする。この際、上記複数の玉５、５は、自転しつつ上記内輪２の周囲を公転する。又、上記保持器６、１１は、上記各玉５、５の公転速度と同じ速度で、上記内輪２の周囲を回転する。
【０００７】
上記内輪２の外周面と上記外輪４の内周面との間部分には、グリース、潤滑油等の潤滑剤を充填若しくは供給して、上記相対回転が円滑に行なわれる様にする。そして、玉軸受に振動や騒音が生じるのを抑制すると共に、焼き付き等の故障を防止する。特に、低振動、低騒音、低トルクの要求が厳しい場合には、潤滑剤として低粘度のものを使用し、転がり・滑り接触部に於ける摩擦係数を十分に小さくする。尚、一部の玉軸受では、シール板やシールド板等の密封部材により、内輪２外周面と外輪４内周面との間の空間の両端開口を塞ぎ、この空間から潤滑剤が漏洩したり、或はこの空間内に塵芥等の異物が進入するのを防止する場合もある。但し、前記図７にはこの様な密封部材を持たない玉軸受を示している。
【０００８】
【特許文献１】
特開平１１−１２５２５６号公報
【特許文献２】
特開２０００−３９０２４号公報
【０００９】
【発明が解決しようとする課題】
上述した様な保持器６、１１を組み込んだ玉軸受の場合、低粘度の潤滑剤を必要量充填若しくは供給しても、この保持器６、１１に振動が誘発され、当該玉軸受に保持器音と呼ばれる騒音や振動が発生する場合がある。この理由は、次の通りである。即ち、上述した従来構造の場合、上記保持器６、１１に設けたポケット７、７の内面のうち、上記各玉５、５の転動面と接触する部分を、これら各玉５、５の転動面の曲率半径よりも僅かに大きな曲率半径を有する単一の球面部１４としている。言い換えれば、上記各ポケット７、７の内面の、これら各ポケット７、７の周方向に関する曲率半径ｒ１  （後述する図２、５参照）と、同じく幅方向に関する曲率半径ｒ２  （後述する図１、４、６参照）とを、互いに等しく（ｒ１  ＝ｒ２  ）している。この為、上記各ポケット７、７の内面と上記各玉５、５の転動面との摩擦面積が広くなり、これら両面同士の滑り接触部分で発生する摩擦振動が大きくなる。この結果、上述した様に、低粘度の潤滑剤を必要量充填若しくは供給しても、上記保持器６、１１を組み込んだ玉軸受に保持器音と呼ばれる騒音や振動が発生する場合がある。
本発明の玉軸受用保持器及び玉軸受は、この様な不都合を解消すべく考えたものである。
【００１０】
【課題を解決するための手段】
本発明の玉軸受用保持器及び玉軸受のうち、請求項１に記載した玉軸受用保持器は、全体を円環状に形成すると共に、円周方向複数個所にポケットを設けている。
特に、請求項１に記載した玉軸受用保持器に於いては、これら各ポケットの内面の、これら各ポケットの周方向に関する曲率半径ｒ１  と、同じく幅方向に関する曲率半径ｒ２  との比ｒ２  ／ｒ１  を、０．８０以上０．９５以下としている。
【００１１】
又、請求項２に記載した玉軸受は、内輪と、外輪と、玉軸受用保持器と、複数の玉とを備える。このうちの内輪は、外周面に内輪軌道を形成している。又、上記外輪は、内周面に外輪軌道を形成している。又、上記玉軸受用保持器は、全体を円環状に形成すると共に、円周方向複数個所にポケットを設けて成る。そして、上記内輪の外周面と上記外輪の内周面との間に、これら内輪及び外輪に対する相対回転自在に配置されている。又、上記各玉は、上記各ポケット内にそれぞれ転動自在に保持しつつ、上記内輪軌道と上記外輪軌道との間に配置されている。
特に、請求項２に記載した玉軸受に於いては、上記各ポケットの内面の、これら各ポケットの幅方向に関する曲率半径ｒ２  が、上記各玉の転動面の曲率半径ｒｂ  よりも小さい。
【００１２】
更に、請求項３に記載した玉軸受の場合には、上記請求項２に記載した玉軸受で、曲率半径ｒ１  と曲率半径ｒ２  との比ｒ２  ／ｒ１  を、０．８０以上０．９５以下としている。
尚、上記請求項２、３に記載した発明を実施する場合に、好ましくは、各ポケットの内面の幅方向に関する曲率半径ｒ２  と各玉の転動面の曲率半径ｒｂ  との比ｒ２  ／ｒｂ  を、０．８２以上０．９８以下（より好ましくは、０．８４２以上０．９６７以下）とする。
【００１３】
【作用】
上述の様に構成する本発明の玉軸受用保持器及び玉軸受の場合、ポケットの内面の周方向に関する曲率半径ｒ１  と幅方向に関する曲率半径ｒ２  との比ｒ２  ／ｒ１  を０．８０以上０．９５以下にする構成と、この幅方向に関する曲率半径ｒ２  を玉の転動面の曲率半径よりも小さくする構成とのうちの、少なくとも一方の構成を採用している。この為、ポケットの内面と玉の転動面との摩擦面積を小さくできる。又、必要とすれば、これらポケットの内面と玉の転動面との接触部への潤滑剤の取り込みを円滑にできる。そして、これらの作用により、保持器と玉との滑り接触部分に作用する摩擦を低減し、この滑り接触部分で発生する摩擦振動を低減して、振動や騒音の減少と低トルク化とを図れる。
【００１４】
【発明の実施の形態】
図１〜２は、請求項１に対応する、本発明の実施の形態の第１例を示している。尚、本例の特徴は、保持器６ａを構成するポケット７ａの内面の形状を工夫した点にある。その他の部分の構造及び作用は、前述の図７〜９に示した従来構造と同様であるから、同等部分に関する図示並びに説明は、省略若しくは簡略にし、以下、本例の特徴部分を中心に説明する。
【００１５】
本例の場合、上記保持器６ａを構成するポケット７ａの内面のうち、保持案内面として機能する部分（前述の図８〜９に斜格子で示した部分に対応する部分）を、単なる球面部にしていない。即ち、この保持案内面として機能する部分の、上記ポケット７ａの周方向に関する曲率半径ｒ１  と、同じく幅方向に関する曲率半径ｒ２  とを、互いに異ならせている（ｒ１  ≠ｒ２  ）。本例の場合には、これら各曲率半径ｒ１  、ｒ２  同士の比ｒ２  ／ｒ１  を、０．８０以上０．９５以下としている。但し、本例の場合には、これら各曲率半径ｒ１  、ｒ２  はそれぞれ、上記ポケット７ａ内に保持する玉５の転動面の曲率半径ｒｂ  よりも僅かに大きく（ｒ１  、ｒ２  ＞ｒｂ  ）している。
【００１６】
上述の様に構成する本例の玉軸受用保持器及び玉軸受の場合、ポケット７ａの内面の形状を上述の様に規制している為、このポケット７ａの内面を単なる球面部とした従来構造に比べて、このポケット７ａの内面と玉５の転動面との摩擦面積を減少させる事ができる。この作用により、上記保持器６ａと上記玉５との滑り接触部分に作用する摩擦を低減し、この滑り接触部分で発生する摩擦振動を低減して、振動や騒音の減少と低トルク化とを図れる。
【００１７】
ここで、上述した様な効果が得られる事を確かめるべく、本発明者が行なった実験に就いて説明する。実験では、それぞれが上述した曲率半径ｒ１  、ｒ２  同士の比ｒ２  ／ｒ１  に就いて種々の値を持つ、複数の玉軸受用保持器を用意した。そして、これら各玉軸受用保持器を深溝型玉軸受（外径２２ｍｍ、内径８ｍｍ、幅７ｍｍ）に組み込んだものを、それぞれ試料とした。そして、これら各深溝型玉軸受に予圧（１９．６Ｎ）を付与した状態で、内輪を回転（回転速度：１８００ｍｉｎ−１  ）させ、この回転に伴って発生する騒音を測定した。尚、上記各深溝型玉軸受の潤滑剤としては、エステル系合成油を使用した。実験の結果を図３に示す。
【００１８】
この図３に示した実験結果より、上記比（ｒ２  ／ｒ１  ）が０．８０以上０．９５以下の範囲（図３に斜格子を付した範囲）にある場合に、騒音を十分に小さくする事ができ、同じく０．８０より小さくなる場合及び０．９５より大きくなって１に近づく場合に、騒音が大きくなる事が分かる。従って、この様な実験結果からも明らかな様に、図１〜２に示した第１例の場合には、保持器６ａと玉５との滑り接触部分に作用する摩擦を低減し、この滑り接触部分で発生する摩擦振動を低減して、振動や騒音の減少と低トルク化とを図れる。
【００１９】
次に、図４〜５は、やはり請求項１に対応する、本発明の実施の形態の第２例を示している。尚、本例の特徴は、保持器１１ａを構成するポケット７ｂの内面の形状を工夫した点にある。その他の部分の構造及び作用は、前述の図１０〜１２に示した従来構造及びこれを組み込んだ玉軸受と同様であるから、同等部分に関する図示並びに説明は、省略若しくは簡略にし、以下、本例の特徴部分を中心に説明する。
【００２０】
本例の場合も、上述した第１例の場合と同様、上記保持器１１ａを構成するポケット７ｂの、このポケット７ｂの周方向に関する曲率半径ｒ１  と、同じく幅方向に関する曲率半径ｒ２  との比ｒ２  ／ｒ１  を、０．８０以上０．９５以下としている。又、これら各曲率半径ｒ１  、ｒ２  をそれぞれ、上記ポケット７ｂ内に保持する玉５の転動面の曲率半径ｒｂ  よりも大きく（ｒ１  、ｒ２  ＞ｒｂ  ）している。この様な構成を採用する本例の場合も、上述した第１例の場合と同様、振動や騒音の減少と低トルク化とを図れる。
【００２１】
次に、図６（Ａ）は、請求項２に対応する、本発明の実施の形態の第３例を示している。本例は、請求項２に記載した発明を、波形プレス保持器に適用した例である。本例の場合、保持器６ｂを構成するポケット７ｃの内面の、このポケット７ｃの周方向に関する曲率半径ｒ１  （図２参照）を、このポケット７ｃに保持する玉５の転動面の曲率半径ｒｂ  よりも僅かに大きく（ｒ１  ＞ｒｂ  ）している。これに対し、上記ポケット７ｃの内面の、このポケット７ｃの幅方向に関する曲率半径ｒ２  を、上記玉５の転動面の曲率半径ｒｂ  よりも僅かに小さく（ｒ２  ＜ｒｂ  ）している。
【００２２】
上述の様に構成する本例の場合、上記玉５の転動面は、上記ポケット７ｃの内面のうち、このポケット７ｃの幅方向に関する両端縁部分のみと滑り接触する。この為、このポケット７ｃの内面と上記玉５の転動面との摩擦面積を小さくできる。又、本例の場合には、上記玉５が上記ポケット７ｃの内面と接触した状態で、これら玉５の転動面とポケット７ｃの内面の幅方向中間部との間に、断面三日月状の微小隙間１５が形成される。玉軸受の運転時、この微小隙間１５内には、上記ポケット７ｃの円周方向に関するこの微小隙間１５の両端開口を通じて、周囲空間から潤滑剤が供給される。そして、この微小隙間１５内に供給された潤滑剤は更に、上記玉５の転動面と上記ポケット７ｃの内面との接触部に効率良く供給される。尚、本例の構造との比較の為、図６（Ｂ）に、ポケット７の内面の曲率半径ｒ２  を玉５の転動面の曲率半径ｒｂ  よりも僅かに大きく（ｒ２  ＞ｒｂ  ）した構造を示す。この様な構造では、上記玉５の転動面と上記ポケット７の内面の幅方向中央部との間に、上述した様な断面三日月状の微小隙間１５は形成されない。
【００２３】
上述した様な作用により、本例の場合には、上記保持器６ｂと上記玉５との滑り接触部分に作用する摩擦を低減し、この滑り接触部分で発生する摩擦振動を低減して、振動や騒音の減少と低トルク化とを図れる。尚、本例の場合、上記玉５の転動面と接触する、上記ポケット７ｃの内面の幅方向両端縁部分に凸曲面状の面取りを施せば、これら両端縁部分で潤滑剤が掻き取られるのを防止できると共に、当該接触部にエッジロードが加わるのを防止できる。
【００２４】
尚、上述の図６（Ａ）に示した第３例を実施する場合には、曲率半径ｒ２  と曲率半径ｒｂ  との比ｒ２  ／ｒｂ  を、０．８２以上０．９８以下（より好ましくは、０．８４２以上０．９６７以下）とするのが好ましい。この様な寸法規制を行なえば、上記各ポケット７ｃ内での上記各玉５の変位量を小さく抑えて保持器音を低減できると共に、これら各玉５の転動を円滑に行なわせる事ができる為である。
この様な玉軸受は、例えば、上記玉５の直径を３．９６９ｍｍとする（即ち、この玉５の転動面の曲率半径ｒｂ  を１．９８５ｍｍ程度とする）場合に、上記曲率半径ｒ２  を１．６２７ｍｍ以上１．９４６ｍｍ以下（より好ましくは、１．６７ｍｍ以上１．９２ｍｍ以下）とすれば実現できる。又、この場合に、前記曲率半径ｒ１  は、例えば、２．０２ｍｍ以上２．０９ｍｍ以下とする。
【００２５】
尚、図示は省略するが、請求項３に記載した発明の様に、ポケットの内面の周方向に関する曲率半径ｒ１  と幅方向に関する曲率半径ｒ２  との比ｒ２  ／ｒ１  を０．８０以上０．９５以下にする構成と、この幅方向に関する曲率半径ｒ２  を玉の転動面の曲率半径よりも小さくする構成とを、双方同時に採用する事もできる。そして、この様な構造を採用した場合も、保持器を組み付けた玉軸受の振動や騒音の減少と低トルク化とを図れる。
【００２６】
【発明の効果】
本発明の玉軸受用保持器及び玉軸受は、以上に述べた様に構成され作用する為、低騒音、低振動、低トルクの玉軸受を実現できる。この結果、この玉軸受を組み込んだ各種回転機械の性能向上を図れる。
【図面の簡単な説明】
【図１】本発明の実施の形態の第１例を示す、図９の上半部に相当する図。
【図２】図１のＡ−Ａ断面図。
【図３】本発明の効果を確かめる為に行なった実験により得られた、保持器の内面の曲率半径の比ｒ２  ／ｒ１  と騒音との関係を示す図。
【図４】本発明の実施の形態の第２例を示す、図１２と同様の図。
【図５】図４のＢ−Ｂ断面図。
【図６】（Ａ）は本発明の実施の形態の第３例を、（Ｂ）はこの第３例の構造と異なる構造を、それぞれ示す、図９の下半部に相当する図。
【図７】本発明の対象となる保持器を組み込んだ玉軸受の１例を示す、部分切断斜視図。
【図８】従来の保持器の第１例を示す、部分拡大分解斜視図。
【図９】組み立てた状態で示す、図８のＣ−Ｃ断面図。
【図１０】従来の保持器の第２例を示す斜視図。
【図１１】同じく、部分拡大斜視図。
【図１２】図１１のＤ−Ｄ断面図。
【符号の説明】
１    内輪軌道
２    内輪
３    外輪軌道
４    外輪
５    玉
６、６ａ、６ｂ  保持器
７、７ａ、７ｂ、７ｃ  ポケット
８    素子
９    凹部
１０    リベット
１１、１１ａ  保持器
１２    主部
１３    弾性片
１４    球面部
１５    微小隙間
【図１】
2004211870.tif 000003
【図２】
2004211870.tif 000004
【図３】
2004211870.tif 000005
【図４】
2004211870.tif 000006
【図５】
2004211870.tif 000007
【図６】
2004211870.tif 000008
【図７】
2004211870.tif 000009
【図８】
2004211870.tif 000010
【図９】
2004211870.tif 000011
【図１０】
2004211870.tif 000012
【図１１】
2004211870.tif 000013
【図１２】
2004211870.tif 000014